(57)【要約】【課題】  バックファンモータの温度上昇を抑制することが可能な構成を備える加熱調理装置を提供する。【解決手段】  ヒータケース３１の後退領域３５および断熱板４１の後退領域４５が積層された状態において、回転軸通過穴を取囲む領域は、バックファンモータ１０を固定する領域（モータ固定用ボルト穴が設けられる領域）に比べ、バックファンモータ１０から遠ざかる方向に後退し、バックファンモータ１０のブラケット１４との間に隙間Ｓを形成している。【選択図】        図４
2005106393.tif 000002
【特許請求の範囲】
【請求項１】
被加熱物を収容する加熱室を備える加熱調理装置であって、
前記加熱室を加熱するためのヒータと、
前記ヒータの発する熱を前記加熱室内に送るヒータ用ファンと、
前記ヒータ用ファンを回転させるためのバックファンモータと、
前記ヒータ用ファンが取付けられる前記バックファンモータの回転軸を後側から前側に向けて突出させるための回転軸通過穴を有し、後側に前記バックファンモータを固定するための板体と、を備え、
前記板体の、前記回転軸通過穴を取囲む領域には、前記バックファンモータを固定する領域に比べ、前記バックファンモータから遠ざかる方向に後退する後退領域が設けられている、加熱調理装置。
【請求項２】
前記ヒータを取付けるためのヒータケースと、
前記ヒータケースの後側に配置され、前記板体を構成する断熱板と、を有し、
前記ヒータケースおよび前記断熱板に、前記回転軸通過穴が設けられ、
前記断熱板に前記後退領域が設けられる、請求項１に記載の加熱調理装置。
【請求項３】
前記ヒータケースも、前記断熱板とともに前記板体を構成し、
前記ヒータケースにも、前記後退領域が設けられる、請求項２に記載の加熱調理装置。
【請求項４】
前記ヒータを用いた前記加熱室の加熱時に、前記ヒータ用ファンを回転させるため前記バックファンモータのＯＮ状態と、前記ヒータ用ファンの回転を停止させるためのＯＦＦ状態とを交互に切替える切替運転制御を行なう、請求項１から３のいずれかに記載の加熱調理装置。
【発明の詳細な説明】
【技術分野】
【０００１】
この発明は、加熱調理装置に関し、ヒータを用いて加熱室を加熱する機構を備える、加熱調理装置に関する。
【背景技術】
【０００２】
ヒータを用いて加熱室を加熱する機構を備える加熱調理装置としてオーブンや、電子レンジ機能を備えるオーブンレンジ等が挙げられる。オーブンの代表的な構成としては、加熱室の選択された側面（例えば、開閉ドアの反対側位置する後部側面等）にヒータが配置され、このヒータの発する熱を、ヒータ用ファンを用いて加熱室内に送る構成が挙げられる（たとえば、下記特許文献１等）。
【０００３】
図１８に、オーブンレンジに採用される加熱室の後面側縦断面図の一部を図示する。ヒータケース３１の前側にヒータ３０が配置され、中央部にはヒータ用ファン２０が配置されている。ヒータケース３１の背面側には、一部断熱部材４０を介在させて断熱板４１が配置されている。ヒータ用ファン２０の後側においては、ヒータケース３１と断熱板４１とがほとんど隙間無く重ね合わされており、断熱板４１の後面側に、バックファンモータ１０が配置されている。バックファンモータ１０の回転軸１３には、ナット２１を用いてヒータ用ファン２０が固定されている。
【０００４】
図１９に、ヒータケース３１の構造を示す。（Ａ）は正面図、（Ｂ）は、（Ａ）中の、（Ｂ）−（Ｂ）線矢視断面図である。鋼板のプレス加工により成形される本体部３２と、この本体部３２を取囲むように本体部３２から立上る周縁部３３とを有する。また、本体部３２の中央部には、バックファンモータ１０の回転軸１３を通過させるための回転軸通過穴３４が成形されている。図２０に、断熱板４１の構造を示す。（Ａ）は正面図、（Ｂ）は（Ａ）中の、（Ｂ）−（Ｂ）線矢視断面図である。鋼板のプレス加工により成形される本体部４２と、この本体部４２の上下縁部において本体部４２から立上る縁部４３とを有する。また、本体部４２の中央部には、バックファンモータ１０の回転軸１３を通過させるための回転軸通過穴４４が成形されている。
【０００５】
ここで、図２１を参照して、バックファンモータ１０の概略構成について説明する。バックファンモータ１０は、ステータ１１およびコイル１２を備えている。回転軸１３の後部には、円盤状のブラケット１４が配置され、回転軸１３を上下方向から挟む位置には、モータ固定用ボルト１５、およびナット１６が設けられている。
【０００６】
上記構成において、ヒータ３０を用いて加熱室を加熱する場合、バックファンモータ１０を回転駆動させてヒータ用ファン２０を回転させることにより、ヒータ３０の発する熱を加熱室内に送り込む。ここで、バックファンモータ１０の周辺も高温状態となるため、バックファンモータ１０の近傍には冷却ファン（図示省略）が配設されており、この冷却ファン（図示省略）を用いて、バックファンモータ１０に向かう空気の流れを生じさせて、バックファンモータ１０の温度上昇を解消している。
【０００７】
しかし、加熱室の容量の大容量化が望まれる一方で、オーブンレンジそのものの外形の小型が望まれており、余儀なくバックファンモータ１０周辺のコンパクト化が図られている。そのため、バックファンモータ１０が取付けられるヒータケース３１および断熱板４１は、図１８に示されるように、両者の間にはほんとんど隙間が設けられない状態となる（約１ｍｍ程度）。これにより、バックファンモータ１０、特にブラケット１４の断熱板４１に面する領域は、加熱室内に近い温度に晒される。一方、ブラケット１４と断熱板４１との間には隙間がほとんど形成されないため、冷却ファンによる空気冷却がほんとんど期待できない。
【０００８】
その結果、バックファンモータ１０のブラケット１４が極めて高温状態（実測値で約１３８°Ｃ程度）になり、バックファンモータ１０の性能を低下させる要因となる。また、稀ではあるが内部の潤滑油が液化しブラケット１４と回転軸１３との隙間から、潤滑油が外部に洩れ、バックファンモータ１０の回転性能を著しく低下させることも考えられる。
【特許文献１】特開２００２−７１１３９号公報
【発明の開示】
【発明が解決しようとする課題】
【０００９】
この発明が解決しようとする課題は、バックファンモータ自体が高温化することにより、バックファンモータの特性が低下する点にある。したがって、この発明の目的は、バックファンモータの温度上昇を抑制することが可能な構成を備える加熱調理装置を提供することにある。
【課題を解決するための手段】
【００１０】
この発明に基づいた加熱調理装置においては、被加熱物を収容する加熱室を備える加熱調理装置であって、上記加熱室を加熱するためのヒータと、上記ヒータの発する熱を上記加熱室内に送るヒータ用ファンと、上記ヒータ用ファンを回転させるためのバックファンモータと、上記ヒータ用ファンが取付けられる上記バックファンモータの回転軸を後側から前側に向けて突出させるための回転軸通過穴を有し、後側に上記バックファンモータを固定するための板体とを備えている。さらに、上記板体の上記回転軸通過穴を取囲む領域には、上記バックファンモータを固定する領域に比べ、上記バックファンモータから遠ざかる方向に後退する後退領域が設けられている。
【００１１】
また、上記加熱調理装置の他の形態においては、上記ヒータを取付けるためのヒータケースと、上記ヒータケースの後側に配置され、上記板体を構成する断熱板と、を有し、上記ヒータケースおよび上記断熱板に、上記回転軸通過穴が設けられている。
【００１２】
また、上記加熱調理装置の他の形態においては、上記ヒータケースも、上記断熱板とともに上記板体を構成し、上記ヒータケースにも、上記後退領域が設けられている。
【００１３】
また、上記加熱調理装置の他の形態においては、上記ヒータを用いた上記加熱室の加熱時に、上記ヒータ用ファンを回転させるため上記バックファンモータのＯＮ状態と、上記ヒータ用ファンの回転を停止させるためのＯＦＦ状態とを交互に切替える切替運転制御を行なう。
【発明の効果】
【００１４】
この発明に基づいた加熱調理装置によれば、板体の回転軸通過穴を取囲む領域には、バックファンモータを固定する領域に比べ、バックファンモータから遠ざかる方向に後退する後退領域が設けていることにより、バックファンモータと板体との間に隙間を生じさせることができる。その結果、バックファンモータの空冷効果を向上させることが可能となる。また、バックファンモータを冷却するための冷却ファンを別途設けた場合には、この隙間に空気が流れることになるため、より効果的にバックファンモータを冷却することが可能となる。
【００１５】
また、この発明に基づいた加熱調理装置の他の形態によれば、ヒータを用いた加熱室の加熱時に、ヒータ用ファンを回転させるためバックファンモータのＯＮ／ＯＦＦ状態を交互に切替える切替運転制御を行なうことにより、バックファンモータをＯＦＦ状態にした場合でも、ヒータ用ファンは慣性力に基づき一定時間は回転を持続するため、ヒータから発せられる熱を加熱室に送ることができる。また、ＯＦＦ状態時においては、バックファンモータ自身からの発熱が抑えられるため、バックファンモータ自身の高温化を回避することが可能となる。
【発明を実施するための最良の形態】
【００１６】
以下、この発明に基づいた各実施の形態における加熱調理装置について、図を参照して説明する。なお、以下に示す各実施の形態の加熱調理装置においては、一例としてオーブンレンジに本発明を適用した場合について説明しているが、オーブンレンジに限らず、電子レンジ機能を有さないオーブンその他の加熱室にヒータの発する熱を送るヒータ用ファンおよびそのファンを回転させるためバックファンモータを有する構成を採用する加熱調理装置全てに本発明を適用することができるものである。また、以下に示す各実施の形態においては、同一または相当部分については、同一の参照番号を付し、重複する説明は繰り返さないこととする。
【００１７】
（実施の形態１）・・・後退領域
図１〜図６を参照して、実施の形態１におけるオーブンレンジの構造について説明する。本実施の形態においては、オーブンレンジに設けられるバックファンモータを取付けるための板体の構造に特徴を有している。
【００１８】
なお、図１は、オーブンレンジ１の外観を示す全体斜視図であり、図２は、オーブンレンジ１の加熱室の後部側面の構造を示す正面図であり、図３は、オーブンレンジ１の加熱室の後部側面を背面側から見た図であり、図４は、図２中ＩＶ−ＩＶ線矢視断面図である。また、図５は、本実施の形態におけるヒータケース３１の構造を示す図であり、（Ａ）は正面図、（Ｂ）は、（Ａ）中の（Ｂ）−（Ｂ）線矢視断面図である。また、図６は、本実施の形態における断熱板４１の構造を示す図であり、（Ａ）は正面図、（Ｂ）は、（Ａ）中の（Ｂ）−（Ｂ）線矢視断面図である。なお、図２〜図４の図示において、加熱室には通常内壁面を構成する壁面部材が設けられているが、ここでは、内部構造の理解を容易にするため壁面部材の図示は省略するものとする。
【００１９】
まず、図１を参照して、本実施の形態におけるオーブンレンジ１は、本体とドア３とから構成される。本体は外装部４に覆われ、複数の脚８に支持されている。本体の側面には、ユーザが、電子レンジ１に各種の情報を入力するための操作パネル６、調節つまみ６Ａ、その他のタッチボタン等が配設されている。ドア３は下端を軸として、開閉可能な構成を有している。ドア３は、中央部にガラスパネル３Ｂが嵌め込められるドア飾り金具３Ｃを有し、このドア飾り金具３Ｃの上部には、取手３Ａが設けられている。
【００２０】
次に、図２〜図４を参照して、本実施の形態におけるオーブンレンジ１に採用される、ヒータユニットの構成について説明する。まず、このヒータユニットは、オーブンレンジ１の加熱室の後部側面側（ドア３の反対側位置する後部側面）に設けられている。後部側面の中央部には、ヒータ用ファン２０が設けられ、このヒータ用ファン２０を取囲むようにヒータ３０が配設されている。ヒータ３０の背面側には、ヒータケース３１が配設され、さらに、このヒータケース３１の背面側には、断熱板４１が配設されている。ヒータケース３１と断熱板４１との間、特に、ヒータ３０の近傍領域には断熱材４０が設けられている。
【００２１】
断熱板４１の背面側には、ヒータ用ファン２０を回転させるためのバックファンモータ１０が配設されている。このバックファンモータ１０は、板体としてのヒータケース３１および断熱板４１に対して、モータ固定用ボルト１５およびナット１６を利用して固定されている。また、バックファンモータ１０の回転軸１３には、ナット２１を用いてヒータ用ファン２０が固定されている。さらに、バックファンモータ１０の近傍には、バックファンモータ１０を冷却するための冷却ファン５０が配設されている。
【００２２】
次に、図５および図６を参照して、ヒータケース３１および断熱板４１の構造について説明する。まず、図５を参照して、ヒータケース３１は、基本的には従来の構造と同じであり、鋼板のプレス加工により成形される本体部３２と、この本体部３２を取囲むように本体部３２から立上る周縁部３３とを有する。また、本体部３２の中央部には、バックファンモータ１０の回転軸１３を通過させるための回転軸通過穴３４が成形されている。さらに、この回転軸通過穴３４を取囲むように、周縁部３３が立上る側と同じ方向に突出する後退領域３５が設けられている。回転軸通過穴３４を上下に挟む位置には、バックファンモータ１０を固定するためのモータ固定用ボルト穴３６が設けられ、このモータ固定用ボルト穴３６が設けられる領域に比べて、後退領域３５は、周縁部３３が立上る側に突出している。また、後退領域３５をモータ固定用ボルト穴３６側に拡大することは形状が複雑になるため、後退領域３５は横方向に延びる楕円形状を有している。
【００２３】
次に、図６を参照して、断熱板４１の構造について説明する。この断熱板４１も、基本的には従来の構造と同じであり、鋼板のプレス加工により成形される本体部４２と、この本体部４２の上下縁部において本体部４２から立上る縁部４３とを有する。また、本体部４２の中央部には、バックファンモータ１０の回転軸１３を通過させるための回転軸通過穴４４が成形されている。さらに、この回転軸通過穴４４を取囲むように、縁部４３が立上る側と同じ方向に突出する後退領域４５が設けられている。回転軸通過穴４４を上下に挟む位置には、バックファンモータ１０を固定するためのモータ固定用ボルト穴４６が設けられ、このモータ固定用ボルト穴４６が設けられる領域に比べて、後退領域４５は、縁部４３が立上る側に突出している。また、後退領域４５をモータ固定用ボルト穴４６側に拡大することは形状が複雑になるため、後退領域４５は横方向に延びる楕円形状を有している。
【００２４】
（作用・効果）
上記構成からなるヒータケース３１および断熱板４１を用いた場合、図４に示すように、ヒータケース３１の後退領域３５および断熱板４１の後退領域４５が積層された状態において、回転軸通過穴３４，４４を取囲む領域は、バックファンモータ１０を固定する領域（モータ固定用ボルト穴３６，４６が設けられる領域）に比べ、バックファンモータ１０から遠ざかる方向に後退し、バックファンモータ１０のブラケット１４との間に隙間Ｓを形成することを可能とする。
【００２５】
その結果、バックファンモータ１０の空冷効果を向上させることが可能となる。特に、本実施の形態においては、バックファンモータ１０を冷却するための冷却ファン５０を設けていることから、バックファンモータ１０と断熱板４１との間に生じる隙間Ｓに空気を流すことが可能となり、より効果的にバックファンモータ１０を冷却することを可能とする。
【００２６】
なお、本実施の形態においては、バックファンモータ１０を固定するための板体として、ヒータケース３１および断熱板４１を用いた場合について説明しているが、空間的に余裕がありヒータケース３１と断熱板４１とを離して配設することが可能な場合には、板体としてはバックファンモータ１０が取付けられる断熱板４１のみで可能となり、後退領域は断熱板４１にのみ設けるようにすることが可能となる。
【００２７】
また、本実施の形態においては、バックファンモータ１０を冷却するために、別途冷却ファン５０を設ける構成を示しているが、以下の実施の形態２に示すような、冷却ファンをバックファンモータ１０の回転軸１３に設ける構成を採用することも可能である。
【００２８】
（実施の形態２）・・・ＯＮ／ＯＦＦ制御
次に、図７〜図９を参照して、実施の形態２におけるオーブンレンジの構造について説明する。本実施の形態においては、オーブンレンジの運転制御、特にバックファンモータの駆動制御に特徴を有している。
【００２９】
なお、図７は、オーブンレンジ１の内部構造を示す全体縦断面図であり、図８は、オーブンレンジ１の背面構造を示す背面図であり、図９は、本実施の形態におけるオーブンレンジの加熱動作を示すフロー図である。
【００３０】
本実施の形態におけるオーブンレンジは、図７および図８に示すように、基本的には、上記実施の形態１の場合と同様に、オーブンレンジ１の加熱室の後部側面側にヒータユニットが設けられている。後部側面の中央部には、ヒータ用ファン２０が設けられ、このヒータ用ファン２０を取囲むようにヒータ３０が配設されている。また、ヒータ３０の背面側には、ヒータケース３１が配設され、さらに、このヒータケース３１の背面側には、断熱板４１が配設されている。ヒータケース３１と断熱板４１との間には、適宜ヒータ３０の近傍領域には断熱材が設けられている。
【００３１】
さらに、断熱板４１の背面側には、ヒータ用ファン２０を回転させるためのバックファンモータ１０が配設されている。ここで、上記実施の形態１においては、バックファンモータ１０を冷却するために、別途冷却ファンを設ける構成を示しているが、本実施の形態においては、バックファンモータ１０の回転軸１３に冷却ファン５０を設ける構成である。なお、上記実施の形態１の示すように、別途冷却ファンを設ける構成のオーブンレンジに、本実施の形態における運転制御を適用することも可能である。
【００３２】
（オーブンレンジの運転制御）
次に、図９を参照して、本実施の形態におけるオーブンレンジの運転制御について説明する。まず、オーブンレンジにおける調理条件を、操作パネル６から入力し設定する（ステップ１）。次に、スタート操作を行なうか否かの判別を行なう（ステップ２）。スタート操作を行なわない場合（ＮＯの場合）には、再度Ｓ１に戻る。スタート操作を行なう場合（ＹＥＳの場合）には、ステップ３に移行し、マイクロ波加熱を行なうか否かの判別を行なう。マイクロ波加熱を行なう場合（ＹＥＳの場合）には、ステップ４に移行して、マイクロ波加熱を開始する。その後、ステップ５において、調理が終了であるか否かを判別し、調理終了でない場合（ＮＯの場合）にはステップ４に移行して、ステップ４〜ステップ５のルーチンを実行する。調理が終了である場合（ＹＥＳの場合）には、ステップ６に移行して、マグネトロンをＯＦＦ状態にして、調理終了報知を行なう（ステップ１８）。
【００３３】
一方、マイクロ波加熱を行なうか否かの判別（ステップ３）において、マイクロ波加熱を行なわない場合（ＮＯの場合）には、ステップ７に移行して、オーブン調理を行なうか否かの判別を行なう。オーブン調理を行なわない場合（ＮＯの場合）には、ステップ８に移行して加熱動作を停止し、さらにステップ９に移行して異常報知を行なう。次に、ステップ７において、オーブン調理を行なう場合（ＹＥＳの場合）には、ステップ１０において、オーブンの設定温度と、加熱室の現在温度との比較判別を行なう。設定温度が現在温度よりも低い場合には、ステップ１１に移行して、ヒータをＯＦＦ状態にし、さらに、ステップ１３に移行して、設定温度が２００°Ｃ以上であるか否かの判別を行なう。設定温度が現在温度よりも高い場合には、ステップ１２に移行して、ヒータをＯＮ状態にし、さらに、ステップ１３に移行して、設定温度が２００°Ｃ以上であるか否かの判別を行なう。
【００３４】
次に、ステップ１３において、設定温度が２００°Ｃ以上であるか否かの判別を行ない、設定温度が２００°Ｃを超える場合（ＹＥＳの場合）には、ステップ１４に移行して、１０秒ＯＮ状態、２秒ＯＦＦ状態を繰り返す、デューティ運転によりバックファンモータ１０を駆動させる。一方、設定温度が２００°Ｃ以下の場合（ＮＯの場合）には、ステップ１５に移行して、連続運転によりバックファンモータ１０を連続駆動させる。その後、ステップ１６において、加熱調理が終了したか否かの判別を行ない、まだ加熱調理が終了していない場合（ＮＯの場合）には、ステップ１０に戻り、ステップ１０〜ステップ１６のルーチンを繰り返す。一方、加熱調理が終了した場合（ＹＥＳの場合）には、ステップ１７に移行し、ヒータをＯＦＦ状態にした後、ステップ１８に移行して加熱終了報知を行なう。
【００３５】
（作用・効果）
上記運転制御を行なう本実施の形態におけるオーブンレンジによれば、ヒータを用いた加熱室の加熱時に、ヒータ用ファン２０を回転させるためバックファンモータ１０のＯＮ／ＯＦＦ状態を交互に切替える切替運転制御を行なうことにより（ステップ１３〜ステップ１５）、バックファンモータ１０をＯＦＦ状態にした場合でも、ヒータ用ファン２０は慣性力に基づき一定時間は回転を持続するため、ヒータ３０から発せられる熱を加熱室に送ることができる。また、ＯＦＦ状態時においては、バックファンモータ１０自身からの発熱が抑えられるため、バックファンモータ１０自身の高温化を回避することが可能となる。
【００３６】
（実施の形態３）・・・ドアの組立
次に、図１０〜図１７を参照して、実施の形態３におけるオーブンレンジの構造について説明する。なお、図１０は、オーブンレンジ１のドア３の構造を示す図であり、図１１は、従来のオーブンレンジ１のドア３の組立方法を示す第１の図であり、図１２は、従来のオーブンレンジ１のドア３の組立方法を示す第２の図であり、図１３は、従来のオーブンレンジ１のドア３の組立方法を示す第３の図である。なお、図１０および図１１において、（Ａ)は正面図、（Ｂ）は右側面図、（Ｃ）は全体斜視図を示す。また、図１４は、ドア３のドア飾り金具３Ｃの構造を示す図であり、（Ａ)は正面図、（Ｂ）全体斜視図を示す。また、図１５は、従来のドア３の問題点を示す正面図であり、図１６は、本実施の形態におけるドア３の組立方法を示す正面図であり、図１７は、本実施の形態におけるドア３の組立方法を示す背面図である。
【００３７】
図１０〜図１３を参照して、従来のドア３の組立方法について説明する。まず図１０を参照して、ドア３は、中央部にガラスパネル３Ｂが嵌め込められるドア飾り金具３Ｃを有し、このドア飾り金具３Ｃの上部には、取手３Ａが設けられている。図１１を参照して、ガラスパネル３Ｂは、ドア飾り金具３Ｃに設けられる一方端側の開口部から挿入される。ガラスパネル３Ｂのドア飾り金具３Ｃへの挿入に際しては、図１２に示すように、基台１００上にドア飾り金具３Ｃの開口部側を上にして載置し、ガラスパネル３Ｂを自重に基づき下方にスライドさせて挿入する。このとき、図１３に示すように、ドア飾り金具３Ｃには、ガラスパネル３Ｂの端部が当接する突起３Ｄが設けられており、この突起３Ｄにガラスパネル３Ｂの端部が当接することにより、ガラスパネル３Ｂの位置決めが行なわれる。位置決めされたガラスパネル３Ｂは、図１４（ガラスパネル３Ｂは図示していない）に示すように、ドア飾り金具３Ｃの開放端側に設けられた両面テープ１１０により、位置が固定される。
【００３８】
しかしながら、上記従来の組立方法においては、ガラスパネル３Ｂの寸法とドア飾り金具３Ｃとの間に生じる寸法誤差に起因して、図１５に示すように、ドア飾り金具３Ｃの端部からガラスパネル３Ｂの端部が露出したり（寸法Ｌ）、ドア飾り金具３Ｃの端部よりも内側にガラスパネル３Ｂの端部が位置する場合が生じていた。ドア飾り金具３Ｃの開放端部におけるガラスパネル３Ｂの端部は意匠面であるため、上記のような誤差の発生に起因する不具合は、美観を損なう問題となる。
【００３９】
そこで、本実施の形態においては、ガラスパネル３Ｂの寸法（横幅寸法）を、積極的にドア飾り金具３Ｃの挿入寸法よりも１．５ｍｍ〜２．０ｍｍ程度短くしておき、ガラスパネル３Ｂのドア飾り金具３Ｃへの挿入時に、図１６に示すように、基台１００上にガラスパネル３Ｂを載置した状態で、ガラスパネル３Ｂの上方からドア飾り金具３Ｃを挿入するようにしてドアの組立を行ない、ドア飾り金具３Ｃに対して、ガラスパネル３Ｂの固定を行なう。
【００４０】
これにより、図１７に示すように、ガラスパネル３Ｂの端部とガラスパネル３Ｂの開口端部との面を同一とすることができ、ドア３の製品としての安定化を図ることが可能となる。なお、この状態においては、ガラスパネル３Ｂの端部と突起３Ｄとの間には隙間Ｌ２が生じることになる。
【００４１】
なお、今回開示した上記各実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００４２】
【図１】実施の形態１におけるオーブンレンジの外観を示す全体斜視図である。
【図２】実施の形態１におけるオーブンレンジの加熱室の後部側面の構造を示す正面図である。
【図３】実施の形態１におけるオーブンレンジの加熱室の後部側面を背面側から見た図である。
【図４】図２中ＩＶ−ＩＶ線矢視断面図である。
【図５】実施の形態１におけるヒータケースの構造を示す図であり、（Ａ）は正面図、（Ｂ）は、（Ａ）中の、（Ｂ）−（Ｂ）線矢視断面図である。
【図６】実施の形態１における断熱板の構造を示す図であり、（Ａ）は正面図、（Ｂ）は、（Ａ）中の、（Ｂ）−（Ｂ）線矢視断面図である。
【図７】実施の形態２におけるオーブンレンジの内部構造を示す全体縦断面図である。
【図８】実施の形態２におけるオーブンレンジの背面構造を示す背面図である。
【図９】実施の形態２におけるオーブンレンジの加熱動作を示すフロー図である。
【図１０】従来のオーブンレンジのドアの構造を示す図である。
【図１１】従来のオーブンレンジのドアの組立方法を示す第１の図である。
【図１２】従来のオーブンレンジのドアの組立方法を示す第２の図である。
【図１３】従来のオーブンレンジのドアの組立方法を示す第３の図である。
【図１４】従来のオーブンレンジのドアのドア飾り金具の構造を示す図である。
【図１５】従来のドアの問題点を示す背面図である。
【図１６】実施の形態３におけるドアの組立方法を示す正面図である。
【図１７】実施の形態３におけるドアの組立方法を示す背面図である。
【図１８】従来のオーブンレンジの加熱室の後部側面の構造を示す縦断面図である。
【図１９】従来のヒータケースの構造を示す図であり、（Ａ）は正面図、（Ｂ）は、（Ａ）中の、（Ｂ）−（Ｂ）線矢視断面図である。
【図２０】従来の断熱板の構造を示す図であり、（Ａ）は正面図、（Ｂ）は、（Ａ）中の、（Ｂ）−（Ｂ）線矢視断面図である。
【図２１】従来のバックファンモータの構造を示す全体斜視図である。
【符号の説明】
【００４３】
３  ドア、３Ａ  取手、３Ｂ  ガラスパネル、３Ｃ  ドア飾り金具、３Ｄ  突起、４  外装部、６  操作パネル、１０  バックファンモータ、１１  ステータ、１２  コイル、１３  回転軸、１４  ブラケット、１５  モータ固定用ボルト、１６，２１  ナット、２０  ヒータ用ファン、３０  ヒータ、３１  ヒータケース、３２  本体部、３３  周縁部、３４  回転軸通過穴、３５，４５  後退領域、３６，４６  モータ固定用ボルト穴、４０  断熱部材、４１  断熱板、４２  本体部、４３  縁部、４４  回転軸通過穴、５０  冷却ファン。
【図１】
2005106393.tif 000003
【図２】
2005106393.tif 000004
【図３】
2005106393.tif 000005
【図４】
2005106393.tif 000006
【図５】
2005106393.tif 000007
【図６】
2005106393.tif 000008
【図７】
2005106393.tif 000009
【図８】
2005106393.tif 000010
【図９】
2005106393.tif 000011
【図１０】
2005106393.tif 000012
【図１１】
2005106393.tif 000013
【図１２】
2005106393.tif 000014
【図１３】
2005106393.tif 000015
【図１４】
2005106393.tif 000016
【図１５】
2005106393.tif 000017
【図１６】
2005106393.tif 000018
【図１７】
2005106393.tif 000019
【図１８】
2005106393.tif 000020
【図１９】
2005106393.tif 000021
【図２０】
2005106393.tif 000022
【図２１】
2005106393.tif 000023